(57)【特許請求の範囲】
【請求項１】
水栓装置が、水と湯を混合する湯水混合部と、該湯水混合部における湯水の混合割合を調整して湯温調整を行うための湯温調整用レバーハンドルと、湯水混合部で混合された湯水の吐水部からの吐水、停水の操作を行うための吐水部用のレバーハンドルとを備え、
吐水部用のレバーハンドルを前方に突出して設けると共に該吐水部用のレバーハンドルの前端部に上面側が押し下げ用操作部、下面側が押し上げ用操作部となった略板状をした操作部を設け、該操作部は押し下げ、押し上げ操作のみが可能なように上下方向にのみ可動自在となって該操作部を上に上げた状態又は下に下げた状態の一方が吐水で他方が止水となり、
上記水栓装置をカウンター本体の下面に配設すると共にレバーハンドルの略板状をした操作部をカウンター本体の前端よりも前方に突出させ、
吐水部用のレバーハンドルの操作部の押し下げ用操作部となる上面がカウンター本体の上面と平行又は略平行となった位置が停水位置であり、
上記湯温調整用レバーハンドルと上記吐水部用のレバーハンドルとの間を、吐水部用のレバーハンドルの操作部乃至湯温調整用レバーハンドルの操作部と外観形状が同じ又はほぼ同じ外観形状をした操作することができないダミー操作部で仕切ったことを特徴とする水栓装置付きカウンター。
【請求項２】
レバーハンドルの操作部の押し下げ用操作部となる上面がカウンター本体の上面と平行又は略平行となった位置が停水位置で、該停水位置から操作部を上に上げることで吐水となることを特徴とする請求項１記載の水栓装置付きカウンター。
【請求項３】
レバーハンドルの操作部の押し下げ用操作部となる上面がカウンター本体の上面と平行又は略平行となった位置が停水位置で、該停水位置から操作部を下に下げることで吐水となることを特徴とする請求項１記載の水栓装置付きカウンター。
【発明の詳細な説明】
【技術分野】
【０００１】
本発明は、水栓装置付きカウンターに関するものである。
【背景技術】
【０００２】
従来から浴室などのカウンターに水栓装置を付設するに当たって、水栓装置の湯水混合部や弁機構部をカウンター下面側に配置すると共に水栓装置の操作部はカウンターの上面側に配置したものが特許文献１等により知られている。
【０００３】
このように、操作部をカウンターの上面側に配置したものにおいては、カウンター上面の操作部が、カウンター上面に石鹸やシャンプー容器等を載置する邪魔になるという問題があり、また、カウンターの前で石鹸を使って洗顔をしたり、シャンプーを使って洗髪する際に、カウンター上面に載置した石鹸やシャンプー容器等を手で掴んで取る際に、カウンター上面に存在する操作部が邪魔になるという問題があり、また、操作部を操作するに際にカウンター上面に載置した石鹸やシャンプー容器等が邪魔になって操作がし難いという問題がある。
【０００４】
特に、上記洗顔や洗髪の際に手探りで操作部を探して操作する場合に、カウンターの上の石鹸やシャンプー容器を倒したりして操作がし難く、また、手探りでカウンターの上の石鹸やシャンプー容器を探して手に取る際、カウンター上に操作部があるので、探し難いという問題がある。
【０００５】
また、カウンターの前端縁から下方に前カバーを垂設して、カウンターから下方に離した位置で該前カバーを貫通して前方に円柱状をしたダイヤル式の操作部を突出させるものも知られている。このものにおいては、カウンターの上面に操作部が無いのでその分、カウンター上面を広く使用できるが、カウンターの前端縁より下方を前カバーで覆うため、カウンターの下方領域を例えば洗面器を置くスペース等として使用できず、実質的に使用できる浴室内空間が狭くなってしまう。
【０００６】
また、円柱状をしたダイヤル式の操作部は円柱状の部分を手で掴んで回転操作するのであるが、このような円柱式の操作部は石鹸やシャンプーが付いた手で掴むと回転操作しようとしても滑って回転操作がし難いという問題がある。
【特許文献１】特開２０００−３３４４１４号公報
【発明の開示】
【発明が解決しようとする課題】
【０００７】
本発明は上記の従来の問題点に鑑みて発明したものであって、カウンター本体の上面を広く使用でき、また、カウンター本体上の石鹸やシャンプー容器を取る際に操作部が邪魔にならず、また、操作部を操作する際にカウンター本体上の石鹸やシャンプー容器に邪魔されること無く簡単に操作できると共に石鹸やシャンプーが付いた手であっても簡単且つ確実に操作ができ、また、カウンター本体の下方も広く使用することが可能となり、また、操作部の操作性が良く、更に、カウンター本体と操作部とが共に板状をしていて統一感があって、外観が良くなる水栓装置付きカウンターを提供することを課題とするものである。
【課題を解決するための手段】
【０００８】
上記課題を解決するために本発明に係る水栓装置付きカウンターは、水栓装置６が、水と湯を混合する湯水混合部１と、該湯水混合部１における湯水の混合割合を調整して湯温調整を行うための湯温調整用レバーハンドル１８と、湯水混合部１で混合された湯水の吐水部２からの吐水、停水の操作を行うための吐水部２用のレバーハンドル３とを備え、吐水部２用のレバーハンドル３を前方に突出して設けると共に該吐水部２用のレバーハンドル３の前端部に上面側が押し下げ用操作部４ａ、下面側が押し上げ用操作部４ｂとなった略板状をした操作部４を設け、該操作部４は押し下げ、押し上げ操作のみが可能なように上下方向にのみ可動自在となって該操作部４を上に上げた状態又は下に下げた状態の一方が吐水で他方が止水となり、上記水栓装置６をカウンター本体４０の下面に配設すると共にレバーハンドル３の略板状をした操作部４をカウンター本体４０の前端よりも前方に突出させ、吐水部２用のレバーハンドル３の操作部４の押し下げ用操作部４ａとなる上面がカウンター本体４０の上面と平行又は略平行となった位置が停水位置であり、上記湯温調整用レバーハンドル１８と上記吐水部２用のレバーハンドル３との間を、吐水部２用のレバーハンドル３の操作部４乃至湯温調整用レバーハンドル１８の操作部１９と外観形状が同じ又はほぼ同じ外観形状をした操作することができないダミー操作部３３で仕切ったことを特徴とするものである。
【０００９】
このように水栓装置６をカウンター本体４０の下面に配設すると共にレバーハンドル３の略板状をした操作部４をカウンター本体４０の前端よりも前方に突出させてあるので、板状のカウンター本体４０の下面に沿って前方に突出した略板状をした操作部４を操作することで、簡単に水栓装置６の操作ができ、シャンプーをしている時や顔を洗っている時に、手探りであっても、カウンター本体４０の前端縁に手を添えて手を動かすことでカウンター本体４０の前端縁から前方に突出した略板上をした操作部４を簡単に探すことができて、略板状をした操作部４の上面の押し下げ用操作部４ａや下面側の押し上げ用操作部４ｂに手指を当てて操作するだけで簡単に操作ができ、また、手指に石鹸やシャンプーが付いていても押し下げ、押し上げ操作でよいので操作ができる。また、板状のカウンター本体４０から前方に略板状をしている薄い操作部４が突出しているので、カウンター本体４０と操作部４とが共に板状をしていて統一感があり、外観が良くなる。また、従来のようにカウンター本体４０の前端縁から下方に前カバーを設ける必要がないと共に操作部４が略板状をしていて薄いので、カウンター本体４０の下方の空間を有効に利用できる。
【００１１】
また、略板状をしたレバーハンドル３の操作部４の上面がカウンター本体４０の上面と平行又は略平行となっているかどうかで、開閉状態が直ぐ分かり、また、閉じた状態では、略板状をした操作部４がカウンター本体４０の下面からカウンター本体４０と平行又は略水平な状態で前方に突出することになるため、板状のカウンター本体４０から前方に略板状の操作部４が平行又は略平行に突出した外観となって統一感があって外観が良くなる。
【００１２】
また、レバーハンドル３の操作部４の押し下げ用操作部４ａとなる上面がカウンター本体４０の上面と平行又は略平行となった位置が停水位置で、該停水位置から操作部４を上に上げることで吐水となることが好ましい。
【００１３】
このような構成とすることで、レバーハンドル３の操作部４の押し下げ用操作部４ａとなる上面がカウンター本体４０の上面と平行又は略水平となった位置が停水位置で、該停水位置から操作部４を上に上げることで吐水となるので、カウンター本体４０の前縁部に手を添えて手を動かして前方に突出した操作部４を探り当てた際に、操作部４が水平か傾いているかで、止水状態か吐水時状態かが簡単に分かる。また、誤って操作部４に下方への押し下げ力が生じても、押し下げにより停水となるので、誤って湯や水が吐水されることがない。
【００１４】
また、レバーハンドル３の操作部４の押し下げ用操作部４ｂとなる上面がカウンター本体４０の上面と平行又は略平行となった位置が停水位置で、該停水位置から操作部４を下に下げることで吐水となることが好ましい。
【００１５】
このような構成とすることで、レバーハンドル３の操作部４の押し下げ用操作部４ａとなる上面がカウンター本体４０の上面と平行又は略水平となった位置が停水位置で、該停水位置から操作部４を下に下げることで吐水となるので、カウンター本体４０の前縁部に手を添えて手を動かして前方に突出した操作部４を探り当てた際に、操作部４が水平か傾いているかで、吐水状態か止水状態かが簡単に分かる。また、略板状をした操作部４がカウンター本体４０から前方に突出している状態で操作部４が上下方向に移動するものであるにもかかわらず、開状態、閉状態のいずれの場合も操作部４がカウンター本体４０上面よりも上方に飛び出すことがなく、したがって、カウンター本体４０上に載置した洗剤やシャンプー容器等を手で掴んで取り出す際に、カウンター本体４０から前方に突出した操作部４が邪魔にならない。
【発明の効果】
【００１６】
本発明の請求項１記載の発明にあっては、上記のように構成したので、カウンター本体の上面に操作部が突出しないので、カウンター本体を広く使用することができ、また、カウンター本体上の石鹸やシャンプー容器を取る際に操作部が邪魔にならず、また略板状をした操作部をカウンター本体の前端よりも前方に突出させてあるので、操作部を操作する際にカウンター本体上の石鹸やシャンプー容器に邪魔されること無く簡単に操作できると共にカウンター本体の前端から前方に突出する略板状の操作部の押し下げ用操作部や押上用操作部に手指を当ててを押し下げ、押し上げ操作するので、石鹸やシャンプーが付いた手であっても簡単且つ確実に操作ができ、操作性が良く、また、カウンター本体の下方も広く使用することが可能となり、また、カウンター本体と操作部とが共に板状をしていて統一感があって、板状をした操作部があたかもカウンター本体の一部であるかのような外観となり、外観が良くなる。
【００１７】
また、略板状をした操作部の上面がカウンター本体の上面と平行又は略平行となっているかどうかで、開閉状態が直ぐ分かり、また、閉じた状態では、板状のカウンター本体から前方に略板状の操作部が平行又は略平行に突出した外観となって、板状をした操作部があたかもカウンター本体の一部であるかのような外観となり、統一感があり、外観が良くなる。
【００１８】
また、請求項２記載の発明にあっては、上記請求項１記載の発明の効果に加えて、操作部を目で見なくて手探りであっても、カウンター本体の前縁部に手を添えて手を動かして前方に突出した操作部を探り当てた際に、操作部が水平か傾いているかで、止水状態か吐水時状態かが簡単に分かる。また、誤って操作部に下方への押し下げ力が生じても、押し下げにより停水となるので、誤って湯や水が吐水されることがない。
【００１９】
また、請求項３記載の発明にあっては、上記請求項１記載の発明の効果に加えて、操作部を目で見なくて手探りであっても、カウンター本体の前縁部に手を添えて手を動かして前方に突出した操作部を探り当てた際に、操作部が水平か傾いているかで、吐水状態か止水状態かが簡単に分かる。また、略板状をした操作部が開状態、閉状態のいずれの場合も操作部がカウンター本体上面よりも上方に飛び出すことがなく、カウンター本体上に載置した洗剤やシャンプー容器等を手で掴んで取り出す際に、カウンター本体から前方に突出した操作部が邪魔にならない。
【発明を実施するための最良の形態】
【００２０】
以下、本発明を添付図面に示す実施形態に基いて説明する。
【００２１】
本発明の水栓装置付きカウンター４１は、略板状をしたカウンター本体４０に水栓金具６を付設することで構成してある。
【００２２】
本発明に用いる水栓金具６は扁平で薄型のものであって、この扁平で薄型の水栓金具６をカウンター本体４１の下面に沿って取付けてある。ここで、水栓金具６の前方に突出したレバーハンドル３の前端部に設けた略板状をした操作部４がカウンター本体４１の前端縁よりも前方に突出し、操作部４以外の他の部分がカウンター本体４１の下面側に位置している。
【００２３】
カウンター本体４の下面に沿って配設して取付ける水栓金具６は、湯水混合部１と、湯水混合部１で混合された湯水を吐水する吐水部２と、吐水部２からの吐水及び止水を行うための弁手段７と、弁手段７をそれぞれ独立して開閉操作するためのレバーハンドル３とを備えることで構成してある。
【００２４】
図１乃至図８に示す実施形態においては、複数の吐水部２と、複数の吐水部２からの吐水及び止水を行うための複数の弁手段７と、各弁手段７をそれぞれ独立して開閉操作するための複数のレバーハンドル３とを備え、これら複数のレバーハンドル３の前端部に設けた略板状をした各操作部４がカウンター本体４１の前端縁よりも前方に突出して左右方向に並設した例が示してある。
【００２５】
本実施形態における水栓装置６は、湯水混合部１と、湯水混合部１で混合された湯水を吐水する複数の吐水部２と、複数の吐水部２からの吐水及び止水を行うための複数の弁手段７と、各弁手段７をそれぞれ独立して開閉操作するための複数のレバーハンドル３とを備え、これら複数のレバーハンドル３の前端部に設けた略板状をした各操作部４がカウンター本体４１の前端縁よりも前方に突出して左右方向に並設した例である。
【００２６】
水栓装置６は、基体１０に、湯水混合部１と、弁機構部９と、カバー部１１を取付けて主体が構成してある。
【００２７】
湯水混合部１は、外郭を構成する筒部１３の外周部の軸方向に水流入部１４と湯流入部１５を並設して設けると共に湯水流出部１６を設け、更に、筒部１３内に水流入部１４から流入する水と、湯流入部１５から流入する湯の混合割合を変えて湯水混合を行うための筒部１３内に軸方向に移動自在に内装した湯水混合調整手段１７と、筒部１３の開口側端部に回動自在に取付けた湯温調整操作部５を構成する湯温調整用レバーハンドル１８とを備えることで一つのユニットとして構成してあり、湯温調整用レバーハンドル１８を回動することで、湯水混合調整手段１７を移動して、水と湯の混合割合を変えて設定された湯温となるよう調整できるようになっている。
【００２８】
湯温調整用レバーハンドル１８は湯水混合調整手段１７に連結する連結部１８ａと該連結部１８ａの前部から前方に突出する湯温調整用の操作部１９を突設することで構成してあり、該湯温調整用の操作部１９は、筒部１３の前部よりも前方に突出し且つ連結部１８ａの横方向（軸方向）の全長にわたって設けてある。この湯温調整用の操作部１９は略平板状をしていて、上面部が湯水混合用の押し下げ用の操作部１９ａ、下側が湯水混合用の押し上げ用の操作部１９ｂとなっている。
【００２９】
弁機構部９は、外郭を構成する筒体部２０の軸方向の中間部に設けた流入孔部２１と、筒体部２０の軸方向における一方の片側半部及び他方の片側半部にそれぞれ設けた２つの流出孔２２（２２ａ、２２ｂ）と、筒体部２０内の軸方向の一方の片側半部及び他方の片側半部にそれぞれ独立して回動自在に嵌め込んだ２つの弁手段７を構成する回動弁２３（２３ａ、２３ｂ）と、両回動弁２３の端部に連結されて各回動弁２３を回動操作するための２つのレバーハンドル３とを備えることで一つのユニットとして構成してある。
【００３０】
各回動弁２３はそれぞれ軸方向の一端部が開口部２４となり且つ他端部が閉塞された回動筒２５の外周部に孔２６を設けて構成してあり、筒体部２０内の軸方向の中間部を介して両回動弁２３の開口部２４が互いに向き合うように筒体部２０内にはめ込んであり、両開口部２４は筒体部２０内の軸方向の中間部を介して流入孔部２１と連通しており、また、各回動弁２３をそれぞれ独立して回動することで、２つの流出孔２２（２２ａ、２２ｂ）と各孔２６とを連通したり、非連通とすることで、各回動弁２３の開閉及び連通の度合い（つまり開量）の調整を行って流量調整することができるようになっている。２つの流出孔２２には後述のようにそれぞれ吐水部２が連通接続される。
【００３１】
筒体部２０内にそれぞれ回動自在に嵌め込んだ各回動弁２３の開口部２４と反対側の軸方向の端部には各レバーハンドル３の後端部の取付け部２７がそれぞれ筒体部２０の軸方向の両側端面に沿うように取付けてあり、この筒体部２０の両側端面に沿うように両回動弁２３の端部に取付けた２個のレバーハンドル３の前部が筒体部２０の前面よりも前方に突出形成してあって操作部４となっている。
【００３２】
図２に示す実施形態では、取付け部２７の前端部から筒体部２０の前面よりも前方に突出するように形成した操作部４は、取付け部２７の前端部の軸方向の外側端部から筒体部２０の軸方向の中間部分まで至る横長さとなっており、両側のレバーハンドル３の前部に設けた両操作部４の後端部により筒体部２０の前面が覆われるようになっている。各操作部４は後端部を除く大部分が略平板状をしていて、上面部が押し下げ用の操作部４ａ、下面部が押し上げ用の操作部４ｂとなっており、この操作部４の後端部が筒体部２０の外周部前面に沿って筒体部２０の前面の軸方向の片側半部を覆うための断面弧状をした覆い部２８となっている。
【００３３】
このようにレバーハンドル３の操作部４が筒体部２０の前面の前方において筒体部２０の軸方向に沿って突出しているため、上下方向に薄型にでき、操作部４も筒体部２０の軸方向に沿うため、左右方向に長くすることができ、操作性が良くなる。
【００３４】
各操作部４は上方への押し上げ・下方への押し下げ操作のみが可能なように上下方向にのみ可動自在となり、各レバーハンドル３はそれぞれ操作部４を上に上げた状態又は下に下げた状態の一方が対応する弁手段７である回動弁２３を開（つまり一方の回動弁２３の孔２６と一方の流出孔２２ａとが連通する状態、又は、他方の回動弁２３の孔２６と他方の流出孔２２ｂとが連通する状態）となり、他方が閉（つまり一方の回動弁２３の孔２６と一方の流出孔２２ａとが非連通となる状態、又は、他方の回動弁２３の孔２６と他方の流出孔２２ｂとが非連通となる状態）となっている。そして、各操作部４の上記開位置Ａと閉位置Ｂとの間が該当する吐水部２から吐水する湯水の流量を調整する水量調整域Ｃとなっている。
【００３５】
レバーハンドル３の操作部４は、湯温調整用レバーハンドル１８の湯温調整用の操作部１９とその断面形状が同じ又はほぼ同じ形状をしている。
【００３６】
上記のようにユニット化された湯水混合部１と、ユニット化された弁機構部９とをそれぞれ基体１０にねじ具２９により固着することで取付けてある。
【００３７】
ここで、図２に示すように、ユニット化された湯水混合部１の筒部１３の中心軸と、ユニット化された弁機構部９の筒体部２０の中心軸とが同軸となり且つユニット化された湯水混合部１とユニット化された弁機構部９とが同軸上に隣接するように基体１０に取付けられる。
【００３８】
この場合、ユニット化された弁機構部９の筒体部２０の一側面に一方のレバーハンドル３を介して湯水混合部１の筒部１３の湯温調整用レバーハンドル１８を設けていない方の側端面を隣接配置されるものである。
【００３９】
また、湯水流出部１６と流入孔部２１とが接続管３４で連通接続される。
【００４０】
更に、水流入部１４に給水用接続管１４ａを接続すると共に湯流入部１５に給湯用接続管１５ａを接続し、更にまた、２つの流出孔２２（２２ａ、２２ｂ）にそれぞれ流出管４５ａ、４５ｂを接続する。流出管４５ａ、４５ｂのうち一方、図３、図４においては流出管４５ａは先端部がそのまま吐水部２（カラン吐水部２ａ）となっていて、一方の流出孔２２ａの真下に配設してあって、下方に吐水するようになっている。
【００４１】
基体１０には更にカバー部１１が取付けられ、カバー部１１により弁機構部９の筒体部２０、両レバーハンドル３の後端部の取付け部２７、湯水混合部１の筒部１３を覆うようになっている。
【００４２】
カバー部１１には前面部に前面開口部３１が設けてあり、この前面開口部３１から両レバーハンドル３の前部に設けた各操作部４が前方に向けて突出し、前方に向けて突出した各操作部４は上方に押し上げ操作したり、下方に押し下げ操作したりすることができるように上下方向に移動自在となっており、各操作部４を上方向に押し上げたり、下方向に押し下げたりすることで、各レバーハンドル３を筒体部２０の軸芯を中心にして回動自在となっている。操作部４を押し上げたり、押し下げたりすることによるレバーハンドル３の回動角度は特に限定はないが、一例を挙げると４５°の回動範囲とする。
【００４３】
各レバーハンドル３の操作部４の後端に設けた覆い部２８によりカバー部１１の前面開口部３１を遮蔽するようになっており、これにより、レバーハンドル３を回動しても筒体部２０の前面が外部に露出することなく覆い部２８により覆われるようになっている。この結果、覆い部２８が筒体部２０の一部（前部）を覆う断熱カバーの役目を兼用し、カバー部１１による断熱のために覆う面積を少なくしてカバー部１１の材料を少なくできる。
【００４４】
したがって、筒体部２０、操作部４の取付け部２７はカバー部１１及び覆い部２８に覆われて、この部分が施工状態において外部に露出しないようになっている。
【００４５】
また、カバー部１１は湯水混合部１の筒部１３を覆って筒部１３が後述のようにカウンター本体４０の下面に沿って取付けた状態で外部に露出しないようになっており、更に、このカバー部１１の湯水混合部１を覆っている部分の前面部から前方に向けて一体に略平板状をしたダミー操作部３３が突出してある。
【００４６】
ここで、ダミー操作部３３の断面形状は、前述の操作部４、湯温調整用の操作部１９とその断面形状が同じ又はほぼ同じ形状をしているがカバー部１１から一体に突出しているため押し下げ力、押し上げ力が作用してもカバー部１１に対して動くことはない。
【００４７】
また、ダミー操作部３３の横方向の長さは筒部１３の軸方向の長さと同じ又はほぼ同じ長さとなっており、該ダミー操作部３３が、前述の湯温調整用レバーハンドル１８の湯温調整用の操作部１９と、２つの隣接するレバーハンドル３の各操作部４のうち一方の操作部４ａとの間に介在してある。このようにレバーハンドル３の操作部４と、湯温調整用レバーハンドル１８の湯温調整用の操作部１９との間にダミー操作部３３を介在させることで、操作部４の操作の際に誤って湯温調整用の操作部１９を操作したり、あるいは、湯温調整用の操作部１９を操作する際に誤って操作部４を操作することがないように、ダミー操作部３３が両者の仕切りの役目をする。
【００４８】
両レバーハンドル３の操作部４は、各操作部４が閉位置Ｂとなった状態で互いに上面が面一となり、更に、この操作部４が閉位置Ｂの状態で上面がダミー操作部３３の上面と面一となるように設定してある。なお、図１乃至図５に示す実施形態では各操作部４を下方に最大に押し下げた位置（最下端位置、図３、４で実線で示す位置）が閉位置Ｂで、各操作部４を最大に押し上げた位置（最上端位置、図３、４で二点鎖線で示す位置）が全開位置Ａとなっている。
【００４９】
また、湯温調整用レバーハンドル１８の湯温調整用の操作部１９は、湯温調整用の操作部１９の上面が上記ダミー操作部３３の上面と面一となった位置がちょうど湯温略４０℃となるように設定してある。したがって、湯温調整用レバーハンドル１８の湯温調整用の操作部１９が湯温調整用レバーハンドル１８の湯温調整用の操作部１９の上面とダミー操作部３３の上面とが面一又は略面一となっているか、否かを見るだけで、一目で通常の使用における最も平均的な使用湯温である湯温略４０℃であるか、否かが理解できる。また、この、湯温調整用レバーハンドル１８の湯温調整用の操作部１９がダミー操作部３３と面一となるようにするだけで、簡単に湯温を略４０℃に設定することができるようになっている。
【００５０】
そして、湯温調整用の操作部１９がダミー操作部３３と面一となっている状態から上面部の湯水混合用の押し下げ用の操作部１９ａを押し下げ操作したり、あるいは下面部の湯水混合用の押し上げ用の操作部１９ｂを押し上げ操作することで、湯温調整用レバーハンドル１８を湯水混合部１の筒部１３の中心軸を中心にして回動して、略４０℃より湯温を高くなるように調整したり、略４０℃より湯温を低くなるように調整することができる。
【００５１】
上記のような構成の水栓装置６は、給水用接続管１４ａに水道管を接続し、給湯用接続管１５ａに給湯管を接続する。
【００５２】
上記の構成の水栓装置６は図６、図７に示すような外観となり、この図６、図７に示すような水栓装置６を図１乃至図５のようにカウンター本体４０の下面部に配設して取付けることで、水栓装置付きカウンター４１を構成するものであり、水栓装置６の大部分はカウンター本体４０の下面側に沿って配設されることでカウンター本体４０により隠されるようになっているが、水栓装置６の複数のレバーハンドル３の略板状をした各操作部４、略板状をしたダミー操作部３３、湯温調整用レバーハンドル１８の略板状をした湯温調整用の操作部１９がカウンター本体４０の前端から前方に突出している。
【００５３】
そして、カウンター本体４０の前端縁から前方に突出した複数のレバーハンドル３の略平板状をした各操作部４がいずれも閉位置で略水平又は水平となってカウンター本体４０の上面と平行となり、また、湯温調整用レバーハンドル１８の略平板状をした湯温調整用の操作部１９が略４０℃の位置で略水平又は水平となってカウンター本体４０の上面と平行となり、また、ダミー操作部３３が略水平又は水平となっていてカウンター本体４０の上面と平行となるように設定してある。
【００５４】
したがって略平板状をした各操作部４がいずれも閉位置、略平板状をした湯温調整用の操作部１９が略４０℃の位置となっている状態で、全ての操作部４、１９とダミー操作部３３の上面が面一となって、全体として一連の板状物のような外観となり、図１（ａ）のように、板状のカウンター本体４０の前端部の下端縁から前方に全体として一連の板状物（操作部）が突出している外観となり、統一感があり、外観がよくなる。
【００５５】
上記実施形態では、カウンター本体４０に付設した水栓装置６の一方の流出管４５ａがカラン吐水部２ａとなり、他方の流出管４５ｂにはシャワーホース３５の一端が接続され、該シャワーホース３５の他端のシャワーヘッド３６が他方の吐水部２（シャワー吐水部２ｂ）となっている。もちろん、両流出管４５ａ、４５ｂともカラン吐水部２であってもよい。
【００５６】
図１乃至図５に示す実施形態においては、カウンター本体４０の下面部に前述の水栓装置６を配設して取付けた水栓装置付きカウンター４１において、各操作部４は、下方に最大に押し下げた位置（最下端位置）が閉位置Ｂで、各操作部４を最大に押し上げた位置（最上端位置）が全開位置Ａとしてあるので、誤って、各操作部４に個別にあるいは同時に物が当たったりして上方から押し下げ力が作用しても、操作部４は元々閉位置にいるか、又は開位置にいても下方に押し下げられて閉位置となるので、複数の吐水部２から不意に吐水がするという恐れがない。また、この実施形態においては、閉位置Ｂがほぼ水平となっていてほぼ水平姿勢のダミー操作部３３と面一又はほぼ面一となっており、この場合は、カウンター本体４０の下面に沿って配設した水栓装置６の下方の空間を広く使え、特に、カラン吐水部２ａ側の吐水空間が広く且つ見やすくなり、操作部４を上方に押し上げてカラン吐水部２ａから吐水させ、このカラン吐水部２ａから吐水される湯水を使用する際に操作部４が邪魔にならならず、カラン吐水部２ａの使用が便利となる。
【００５７】
このように本発明の水栓装置付きカウンター４１は、水栓装置６をカウンター本体４０の下面に配設すると共にレバーハンドル３の略板状をした操作部４をカウンター本体４０の前端よりも前方に突出させてあるので、板状のカウンター本体４０の下面に沿って前方に突出した略板状をした操作部４を操作することで、簡単に水栓装置６の操作ができ、シャンプーをしている時や顔を洗っている時に、手探りであっても、カウンター本体４０の前端縁に手を添えて手を動かすことで、簡単に略板状をした操作部４を探すことができて、略板状をした操作部４に手指を当てて操作することで簡単に操作ができることになる。
【００５８】
また、例えば、シャワーにより髪を濡らした状態で、手探りで操作部４を探してシャワーを止水した後、そのまま、操作部４に添えている手をそのまま前に移動するとカウンター本体４０の前縁部となるので、そのまま手を前に移動してカウンター本体４０の上面に沿って移動することで、カウンター本体４０の上面に載置しているシャンプー容器などを簡単且つ確実に探し出すことができる。つまり、操作部４の操作に引き続いてシャンプー容器などを手で探すという手探りの操作が途切れることのない一連の連続した動作で行え、操作性が良くなる。
【００５９】
また、手探りで操作部４を探す際に、カウンター本体４０の前縁部に手を添えて横方向に移動させることで簡単にカウンター本体４０の前縁部から前方に突出した操作部４を探すことができ、しかも、この場合、カウンター本体４０の上面に載置している石鹸やシャンプー容器等を倒すことなく手探りで操作部４を探し当てることができる。
【００６０】
また、本発明の水栓装置付きカウンター４１においては、水栓装置６を使用するに当たって、カラン吐水部２ａの吐水、止水をする場合は、カウンター本体４０の前端縁から前方に突出する一方のレバーハンドル３の操作部４を押し上げ操作、押し下げ操作することにより行い、また、シャワー吐水部２ｂの吐水、止水をする場合は、カウンター本体４０の前端縁から前方に突出する他方のレバーハンドル３の操作部４を押し上げ操作、押し下げ操作することにより行う。そして、これらの各レバーハンドル３の操作部４の押し上げ操作、押し下げ操作はそれぞれ独立して行うことができ、また、両操作部４を同時に押し上げ操作したり、あるいは押し下げ操作することができる。したがって、カラン吐水部２ａ、シャワー吐水部２ｂの両方が止水状態において、カラン吐水部２ａ、シャワー吐水部２ｂのいずれか一方からのみ吐水、あるいは、カラン吐水部２ａ、シャワー吐水部２ｂの両方を同時に吐水という操作が簡単にできる。また、カラン吐水部２ａ、シャワー吐水部２ｂの両方が吐水状態において、カラン吐水部２ａ、シャワー吐水部２ｂのいずれか一方のみの止水、あるいは、カラン吐水部２ａ、シャワー吐水部２ｂの両方を同時に止水という操作が簡単にできる。
【００６１】
そして、本発明においては、カウンター本体１の前端部から前方に突出した各操作部４がいずれも押し下げ操作と押し上げ操作が反対方向の操作であるため、手探りであっても操作部４に手を添えて押し上げ操作又は押し下げ操作をすることで直接目で確認しなくても誤り無く操作ができ、このように、各操作部はいずれも押し上げ操作と押し下げ操作とで開閉が決まっているので、シャンプーなどで髪を洗っているときや、洗顔している時のように、水栓装置６を目で見ることなく、手探りでレバーハンドル３の操作部４を探して、操作する場合でも誤操作することがない。
【００６２】
例えば、シャワー吐水部２ｂが止水で且つカラン吐水部２ａが吐水の状態で、石鹸などで洗顔している時、カラン吐水部２ａを止水にしようとして、手探りで、カラン吐水部２ａ用の操作部４（カラン用の操作部）を探して止水操作をする際、誤ってシャワー用の操作部４を止水側に操作しようとしても、シャワー吐水部２ｂは既に止水となっているので、シャワー吐水部２ｂから突然吐水されるというようなおそれがない。
【００６３】
また、シャワー吐水部２ｂが吐水で且つカラン吐水部２ａが止水の状態で、シャンプーなどで洗髪している時、シャワー吐水部２ｂを止水にしようとして、手探りで、シャワー吐水部２ｂ用のシャワー用の操作部４を止水側に操作する際、誤ってカラン用の操作部４を止水側に操作しようとしても、既に止水しているため、カラン吐水部２ａから突然吐水されるというようなおそれがない。
【００６４】
したがって、複数の操作部４を手探りで探して操作する際に、上記のような誤操作をしても、操作部４の操作方向さえ間違っていなければ、手探りであっても予期していない吐水部２から突然吐水されるというような事態が生じることがなく、安心して洗顔や洗髪ができる。
【００６５】
また、例えば、２つの吐水部２のうち、いずれか一方から湯水を吐水したまま放置して止水するのを忘れていたような時、一方の吐水部２から湯水が吐水しているのに気付き、あわてて一方の吐水部２側の操作部４を止水側に操作しようとする場合、あわてているので、誤って別の吐水部２の操作部４を止水側に操作しても、別の吐水部２から突然吐水されるというような事態が生じることがない。
【００６６】
上記のように、各レバーハンドル３の操作部４の押し上げ操作、押し下げ操作により対向する各吐水部２からの吐水、止水を行うのであるが、各操作部４の上下方向への移動量を調整することで対応する各吐水部２から吐水する湯水の流量を同時に調整することができる。
【００６７】
したがって、本発明においては、複数の吐水部２に対応して、別部材としての複数の流量調整弁とこれを操作するための複数の操作部とを必要とせず、水栓装置６の小型化、部品点数の削減が可能となる。また、各操作部４の上下方向の移動のみで対応する吐水部２からの吐水、止水と流量調整とが同時にできるので、操作性が向上する。
【００６８】
しかも、上記複数のレバーハンドル３が湯温調整用レバーハンドル１８と別体なので、複数のレバーハンドル３をそれぞれ独立して操作する際、いずれのレバーハンドル３を操作する際も誤って湯温が変えられて高温の湯や低温の水が吐出する恐れがない。
【００６９】
図８には本発明の他の実施形態が示してあり、各操作部４を下方に最大に押し下げた位置（最下端位置）が全開位置Ａで、各操作部４を最大に押し上げた位置（最上端位置）が閉位置Ｂとなり、この各操作部４を最大に押し上げた閉位置Ｂの状態が略板状をした操作部４が略水平又は水平となっている。この図６に示す実施形態では、各操作部４を最大に押し上げた状態で閉位置Ｂがほぼ水平となってほぼ水平姿勢のダミー操作部３３と面一又はほぼ面一となるので、操作部４がカウンター本体４０より上方に突出することがなく、したがって、カウンター本体４０の上面に載置した石鹸やシャンプー容器を手で掴んで取ったり、あるいは、カウンター本体４０の上面に石鹸やシャンプー容器を戻す際に、各操作部４に邪魔されることなくできる。
【００７０】
なお、上記した各実施形態においては、ダミー操作部３３を設けた例を示したが、ダミー操作部３３を設けないものであってもよい。
【００７１】
また、上記各実施形態では、２つの吐水部２からの吐水及び吐水停止をそれぞれ独立して行うための２つの弁手段７と、該２つの弁手段７をそれぞれ独立して開閉操作するための２つのレバーハンドル３とを備えた水栓装置６の例で説明したが、図９、図１０のように、吐水部２が１つ、弁手段７が１つ、レバーハンドル３が１つであってもよい。この実施形態においては弁機構部９の構成が異なるのみで、他は基本的な構成は同じである。
【００７２】
つまり、本実施形態では筒体部２０の軸方向の端部に設けた流入孔部２１と、筒体部２０の軸方向の略中間部に設けた流出孔２２と、筒体部２０内に回動自在に嵌め込んだ１つの弁手段７を構成する回動弁２３と、該回動弁２３の端部に連結されて回動弁２３を回動操作するための１つのレバーハンドル３とを備えることで一つのユニットとして構成してある。
【００７３】
回動弁２３は軸方向の一端部が開口部２４となり且つ他端部が閉塞された回動筒２５の外周部に孔２６を設けて構成してあり、この回動弁２３を筒体部２０内に嵌め込んであり、開口部２４は筒体部２０内の軸方向の一端部を介して流入孔部２１と連通しており、回動弁２３を回動することで、流出孔２２と各孔２６とを連通したり、非連通とすることで、回動弁２３の開閉及び連通の度合い（つまり開量）の調整を行って流量調整することができるようになっている。流出孔２２には吐水部２が連通接続される。
【００７４】
筒体部２０内にそれぞれ回動自在に嵌め込んだ回動弁２３の開口部２４と反対側の軸方向の端部にはレバーハンドル３の後端部の取付け部２７がそれぞれ筒体部２０の軸方向の端面に沿うように取付けてあり、この筒体部２０の端面に沿うように回動弁２３の端部に取付けたレバーハンドル３の前部が筒体部２０の前面よりも前方に突出形成してあって操作部４となっている。
【００７５】
取付け部２７の前端部から筒体部２０の前面よりも前方に突出するように形成した操作部４は、取付け部２７の前端部の軸方向の外側端部から筒体部２０の軸方向の他端部（取付け部２７が沿っていない方の端部）まで至る横長さとなっており、レバーハンドル３の前部に設けた操作部４の後端部により筒体部２０の前面が覆われるようになっている。操作部４は後端部を除く大部分が略平板状をしていて、上面部が押し下げ用の操作部４ａ、下面部が押し上げ用の操作部４ｂとなっており、この操作部４の後端部が筒体部２０の外周部前面に沿って筒体部２０の前面の軸方向の片側半部を覆うための断面弧状をした覆い部２８となっており、この覆い部２８によりカバー部２３の前面開口部３１を覆うようになっている。
【００７６】
なお、他の構成及び作用は前述の実施形態と同様であるので、省略する。
【００７７】
そして、図９に示すような水栓装置６を前述の実施形態と同様に図１０のように、カウンター本体４０の下面に沿って配設して取付け、略板状の操作部４、略板状のダミー操作部３３、略板状の湯温調整用の操作部１９がカウンター本体１０の前端より前方に突出させることで、本実施形態の水栓装置付きカウンター４１を構成する。
【００７８】
なお、図示を省略しているが、吐水部２が３つ以上、弁手段７が３つ以上、レバーハンドル３が３以上であってもよい。
【００７９】
また、前述の各実施形態ではカウンター本体４０の下面に沿って取付ける水栓装置６として湯水混合部１を設けた例を示したが、湯水混合部１を設けない水栓装置６であってもよい。
【図面の簡単な説明】
【００８０】
【図１】本発明の水栓装置付きカウンターの一実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【図２】同上の平面断面図である。
【図３】同上の縦断面図である。
【図４】同上の右側面図である。
【図５】同上の左側面図である。
【図６】同上に用いる水栓装置の前から見た斜視図である。
【図７】同上に用いる水栓装置の後から見た斜視図である。
【図８】本発明の水栓装置付きカウンターの他の実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【図９】本発明の水栓装置付きカウンターの他の実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図である。
【図１０】同上の平面断面図である。
【符号の説明】
【００８１】
２  吐水部
３  レバーハンドル
４  操作部
４ａ  押し下げ用の操作部
４ｂ  押し上げ用の操作部
５  湯温調整操作部
６  水栓装置
７  弁手段
４０  カウンター本体
【図１】
0005270898.tif 000002
【図２】
0005270898.tif 000003
【図３】
0005270898.tif 000004
【図４】
0005270898.tif 000005
【図５】
0005270898.tif 000006
【図６】
0005270898.tif 000007
【図７】
0005270898.tif 000008
【図８】
0005270898.tif 000009
【図９】
0005270898.tif 000010
【図１０】
0005270898.tif 000011